(57)【要約】      （修正有）【課題】くま、眼乾燥、眼不快感、眼瞼縁炎、麦粒腫等を改善する多機能理学療法アイマスクを提供する。【解決手段】マスク本体１とマスク本体１の両端に接続されるテープとを備える多機能理学療法アイマスクであって、マスク本体１の内部には、目に遠い側から順に、加熱層、保温伝熱層、超柔起毛布接触層６が設けられており、加熱層は、充電池に接続される加熱シートを含み、充電池はコントローラに接続されており、保温伝熱層の一方側は加熱層に接触し、他方側は超柔起毛布接触層６に接触し、当該他方側にはチップ温度センサが貼り付けられ、チップ温度センサはコントローラに接続されており、超柔起毛布接触層６はマスク本体１に移動可能に貼り付けられている。【選択図】図５
0003221547.tif 000002
【実用新案登録請求の範囲】
【請求項１】
マスク本体と前記マスク本体の両端に接続されるテープとを備える多機能理学療法アイマスクであって、
前記マスク本体の内部には内から順に、加熱層、保温伝熱層、超柔起毛布接触層が設けられており、
前記加熱層は、充電池に接続される加熱シートを含み、前記充電池はコントローラに接続されており、
前記保温伝熱層の一方側は加熱層に接触し、他方側は超柔起毛布接触層に接触し、当該他方側にはチップ温度センサが貼り付けられ、前記チップ温度センサはコントローラに接続されており、
前記超柔起毛布接触層は、前記マスク本体に移動可能に貼り付けられている、ことを特徴とする多機能理学療法アイマスク。
【請求項２】
前記マスク本体の側辺には幾つかの貫通穴が開けられている、ことを特徴とする請求項1に記載の多機能理学療法アイマスク。
【請求項３】
前記超柔起毛布接触層には、前記コントローラに接続される睡眠監視センサが設けられている、ことを特徴とする請求項1に記載の多機能理学療法アイマスク。
【請求項４】
前記マスク本体には、タッチパネルディスプレイ、電池充電インタフェース、振動器、調節ボタンがさらに設けられており、
前記タッチパネルディスプレイ、前記振動器、前記調節ボタンはそれぞれ、前記コントローラに接続され、
前記電池充電インタフェースは、前記充電池に接続されている、ことを特徴とする請求項1に記載の多機能理学療法アイマスク。
【請求項５】
前記マスク本体の前記内部には、前記マスク本体の内側縁に沿って幾つかのLEDストリップが設けられ、
前記LEDストリップは、前記コントローラに接続されている、ことを特徴とする請求項1に記載の多機能理学療法アイマスク。
【請求項６】
前記コントローラにはブルートゥース（登録商標）通信手段がさらに接続されている、ことを特徴とする請求項1に記載の多機能理学療法アイマスク。
【請求項７】
前記超柔起毛布接触層には幾つかの通気孔が開けられており、
これらの通気孔は、その円心を繋ぐラインにより楕円形をなす、ことを特徴とする請求項1に記載の多機能理学療法アイマスク。
【考案の詳細な説明】
【技術分野】
【０００１】
本考案はアイマスクの技術分野に関し、特に多機能理学療法アイマスクに関する。
【背景技術】
【０００２】
現代人は、色々な原因で生活が乱れ、夜間睡眠が不足し、くま、眼乾燥、眼不快感、眼瞼縁炎、麦粒腫等の問題を引き起こしやすい。その状態を長期にわたって維持すると、生体時計が乱れ、内分泌が撹乱されやすく、体の健康に厳しく影響を及ぼす。
【０００３】
夜間の睡眠不足を補うために、少しの暇を見つけて昼寝をする人が多い。しかし、昼寝をする時、色々な制限で夜間の環境を作り出すことができず、夜間の休憩のような環境を作り出すために、アイマスクを着用するのが一般である。現在市販されているアイマスクの主な役割は、光線を遮断し、干渉を排除して、睡眠にふさわしい環境を作り出すことであり、昼や屋外での使用に適用する。しかし、その機能は比較的に単一で、くま、眼乾燥、眼不快感、眼瞼縁炎、麦粒腫等の問題を改善することができない。
【考案の概要】
【考案が解決しようとする課題】
【０００４】
本考案の目的は、夜間の睡眠不足によるくま、眼乾燥、眼不快感、眼瞼縁炎、麦粒腫等の問題を改善することにある。そのため、本考案は、多機能理学療法アイマスクを提供する。
【課題を解決するための手段】
【０００５】
上記目的を達成するために、本考案の技術方案は以下である。
マスク本体と前記マスク本体の両端に接続されるテープとを備える多機能理学療法アイマスクであって、前記マスク本体の内部には内から順に加熱層、保温伝熱層、超柔起毛布接触層が設けられており、前記加熱層は、充電池に接続される加熱シートを含み、前記充電池はコントローラに接続されており、
前記保温伝熱層の一方側は加熱層に接触し、他方側は超柔起毛布接触層に接触し、当該他方側にはチップ温度センサが貼り付けられ、前記チップ温度センサはコントローラに接続されており、
前記超柔起毛布接触層は前記マスク本体に移動可能に貼り付けられている、多機能理学療法アイマスク。
【０００６】
1つの改善として、前記マスク本体の側辺には幾つかの貫通穴が開けられている。
【０００７】
1つの改善として、前記超柔起毛布接触層には、前記コントローラに接続される睡眠監視センサが設けられている。
【０００８】
1つの改善として、前記マスク本体には、タッチパネルディスプレイ、電池充電インタフェース、振動器、調節ボタンがさらに設けられており、前記タッチパネルディスプレイ、前記振動器、前記調節ボタンはそれぞれ前記コントローラに接続され、前記電池充電インタフェースは前記充電池に接続されている。
【０００９】
1つの改善として、前記マスク本体の前記内部には、前記マスク本体の内側縁に沿って幾つかのLEDストリップが設けられ、前記LEDストリップは前記コントローラに接続されている。
【００１０】
1つの改善として、前記コントローラにはブルートゥース（登録商標）通信手段がさらに接続されている。
【００１１】
1つの改善として、前記超柔起毛布接触層には幾つかの通気孔が開けられており、これらの通気孔は、その円心を繋ぐラインにより楕円形をなす。
【考案の効果】
【００１２】
本考案の有益効果は以下である。
1）加熱層、保温伝熱層、超柔起毛布接触層を介して熱を目に伝導することにより、血液の流れを促進し、夜間の睡眠不足によるくま、眼乾燥、眼不快感、眼瞼縁炎、麦粒腫等の問題の軽減に役立つ。
2）睡眠監視センサにより睡眠時間を検出できると共に、振動目覚まし及びランプ光目覚ましの機能を有する。
3）超柔起毛布接触層に幾つかの通気孔を開け、また、これらの通気孔の円心を繋ぐラインにより楕円形をなすことにより、熱を主に通気孔を通して目の周りに作用させる。
【図面の簡単な説明】
【００１３】
【図１】図1は加熱層の構造模式図である。
【図２】図2は保温伝熱層の構造模式図である。
【図３】図3は超柔起毛布接触層の構造模式図である。
【図４】図4は多機能理学療法アイマスクの正面図である。
【図５】図5は多機能理学療法アイマスクの第1の全体構造模式図である。
【図６】図6は多機能理学療法アイマスクの第2の全体構造模式図である。
【図７】図7はコントローラの接続関係の模式図である。
【考案を実施するための形態】
【００１４】
以下、具体的な実施形態を参照しながら、本考案をさらに詳細に説明する。
図1を参照する。本考案の多機能理学療法アイマスクは、マスク本体1とマスク本体1の両端に接続されるテープ13とを備える。本実施例において、マスク本体1は柔らかな生地の織物類材料からなり、マスク本体1の内部には、内から順に加熱層2、保温伝熱層4、超柔起毛布接触層6が設けられている。加熱層2は、充電池3に接続される加熱シートを含む。加熱シートは、金属繊維又は炭素繊維又はグラフェンであるが、それらに限定されていない。充電池3は、コントローラ15に接続され、小さくて軽量なリチウム電池であり、多機能理学療法アイマスクの内部又は外部に設けられることが可能である。
【００１５】
図2を参照する。保温伝熱層4の一方側は加熱層2に接触し、他方側は超柔起毛布接触層6に接触する。当該他方側にはチップ温度センサ5が貼り付けられ、チップ温度センサ5はコントローラ15に接続されており、コントローラ15にはブルートゥース（登録商標）通信手段がさらに接続されている。
【００１６】
図3を参照する。超柔起毛布接触層6は、マスク本体1に移動可能に貼り付けられている。超柔起毛布接触層6には幾つかの通気孔7が開けられており、これらの通気孔7の円心を繋ぐラインにより楕円形をなす。超柔起毛布接触層6には、コントローラ15に接続される睡眠監視センサ8が設けられている。
【００１７】
図4、図5及び図6を参照する。マスク本体1の側辺には幾つかの貫通穴14が開けられている。マスク本体1には、タッチパネルディスプレイ11、電池充電インタフェース9、振動器10、調節ボタン12がさらに設けられている。タッチパネルディスプレイ11、振動器10、調節ボタン12はそれぞれコントローラ15に接続され、電池充電インタフェース9は充電池3に接続されている。マスク本体1の内部には、マスク本体1の内側縁に沿って幾つかのLEDストリップ16が設けられ、LEDストリップ16はコントローラ15に接続されている。本実施例において、電池充電インタフェース9はMicro USBインタフェースである。
【００１８】
加熱層2、保温伝熱層4、超柔起毛布接触層6を介して熱を目に伝導し、血液の流れを促進することにより、夜間の睡眠不足によるくま、眼乾燥、眼不快感、眼瞼縁炎、麦粒腫等の問題の軽減に役立つ。また、睡眠監視センサ8により睡眠時間を検出できると共に、振動目覚まし及びランプ光目覚ましの機能を有する。また、超柔起毛布接触層6に幾つかの通気孔7を開け、また、これらの通気孔7の円心を繋ぐラインにより楕円形をなすことにより、熱を主に通気孔7を通して目の周りに作用させる。
【００１９】
当該アイマスクで温湿布を行う場合、タッチパネルディスプレイ11、調節ボタン12、コントローラ15により加熱温度、温湿布時間を設定する。加熱温度が設定温度に達した時、タッチパネルディスプレイ11で明滅する。この時、アイマスクを着用し、テープ13で適切な締まり具合に調節し、温湿布を行い始める。温湿布を行う時、チップ温度センサ5は、現在の温湿布温度をリアルタイムに検出する。コントローラ15は、加熱シートの作業を制御することで設定された加熱温度に保持する。加熱シートの熱は、順に保温伝熱層4、超柔起毛布接触層6及び超柔起毛布接触層6の通気孔7を通して目に作用する。温湿布が完了した後、LEDストリップ16が明滅し、振動器10が振動し、余剰な熱はマスク本体1における貫通穴14から排出される。本実施例において、2つのチップ温度センサ5があり、それぞれ保温伝熱層4の両端に貼り付けられる第1のチップ温度センサ51と第2のチップ温度センサ52である。2つの振動器10もあり、それぞれマスク本体1の両端に取り付けられる第1の振動器101と第2の振動器102である。
【００２０】
当該アイマスクで良好な睡眠環境を作り出す場合、タッチパネルディスプレイ11、調節ボタン12、コントローラ15により所定の睡眠時間を設定する。睡眠監視センサ8は、着用者の深睡眠時間を検出すると共に、当該深睡眠時間データをコントローラ15の変換によりタッチパネルディスプレイ11上に表示する。また、コントローラ15は、ブルートゥース（登録商標）通信手段により当該深睡眠時間データを携帯電話端末に送信することもできる。
【００２１】
使用者の睡眠時間が設定された所定の睡眠時間に達した時、コントローラ15は柔らかな環境光を発するようにLEDストリップ16を制御し、振動器10が振動し、ユーザを起こす。
【００２２】
当該アイマスクで温湿布を行いかつ良好な睡眠環境を作り出す場合、タッチパネルディスプレイ11、調節ボタン12、コントローラ15により加熱温度、温湿布時間、所定の睡眠時間を設定することができる。温湿布が完了した後、LEDストリップ16及び振動器10は動作せず、睡眠が完了した後に対応する動作を行う。
【００２３】
充電池3の電量が切れた時、マスク本体1に設けられる電池充電インタフェース9により充電を行うことができる。
【００２４】
最後に説明すべきことに、以上の実施例は本考案の技術方案を説明するためのものに過ぎず、それを限定するものではない。好ましい実施例を参照して本考案を詳細に説明したが、当業者であれば、本考案の具体的な実施形態を修正又は一部の技術的特徴に対して均等な置換を行うことができ、また、本考案の技術方案から逸脱しない精神はいずれも本考案の請求範囲に含むべきであると理解される。
【符号の説明】
【００２５】
1 : マスク本体
2 : 加熱層
3 : 充電池
4 : 保温伝熱層
5 : チップ温度センサ
51 : 第1のチップ温度センサ
52 : 第2のチップ温度センサ
6 : 超柔起毛布接触層
7 : 通気孔
8 : 睡眠監視センサ
9 : 電池充電インタフェース
10 : 振動器
101 : 第1の振動器
102 : 第2の振動器
11 : タッチパネルディスプレイ
12 : 調節ボタン
13 : テープ
14 : 貫通穴
15 : コントローラ
16 : LEDストリップ
【図１】
0003221547.tif 000003
【図２】
0003221547.tif 000004
【図３】
0003221547.tif 000005
【図４】
0003221547.tif 000006
【図５】
0003221547.tif 000007
【図６】
0003221547.tif 000008
【図７】
0003221547.tif 000009
【手続補正書】
【提出日】平成31年3月26日(2019.3.26)
【手続補正１】
【補正対象書類名】実用新案登録請求の範囲
【補正対象項目名】全文
【補正方法】変更
【補正の内容】
【実用新案登録請求の範囲】
【請求項１】
マスク本体と前記マスク本体の両端に接続されるテープとを備える多機能理学療法アイマスクであって、
前記マスク本体の内部には、目に遠い側から順に、加熱層、保温伝熱層、超柔起毛布接触層が設けられており、
前記加熱層は、充電池に接続される加熱シートを含み、前記充電池はコントローラに接続されており、
前記保温伝熱層の一方側は加熱層に接触し、他方側は超柔起毛布接触層に接触し、当該他方側にはチップ温度センサが貼り付けられ、前記チップ温度センサはコントローラに接続されており、
前記超柔起毛布接触層は、前記マスク本体に移動可能に貼り付けられている、ことを特徴とする多機能理学療法アイマスク。
【請求項２】
前記マスク本体の側辺には幾つかの貫通穴が開けられている、ことを特徴とする請求項１に記載の多機能理学療法アイマスク。
【請求項３】
前記超柔起毛布接触層には、前記コントローラに接続される睡眠監視センサが設けられている、ことを特徴とする請求項１に記載の多機能理学療法アイマスク。
【請求項４】
前記マスク本体の前記内部には、前記マスク本体の内側縁に沿って幾つかのLEDストリップが設けられ、
前記LEDストリップは、前記コントローラに接続されている、ことを特徴とする請求項１に記載の多機能理学療法アイマスク。
【請求項５】
前記コントローラにはブルートゥース（登録商標）通信手段がさらに接続されている、ことを特徴とする請求項１に記載の多機能理学療法アイマスク。
【請求項６】
前記超柔起毛布接触層には幾つかの通気孔が開けられており、
これらの通気孔は、その円心を繋ぐラインにより楕円形をなす、ことを特徴とする請求項１に記載の多機能理学療法アイマスク。